(57)【特許請求の範囲】
【請求項１】
屋根構造を構成する屋根断熱材の下面側に、所定間隔にて上フランジを備える複数の型鋼が取り付けられ、該型鋼に取り付けて機能性材を隣り合う型鋼間に保持することができる機能性材保持部材であって、
型鋼の上フランジに取り付けられる取付部と、該取付部の下方に位置する押さえ部とを有してなり、前記取付部は、横片状の上フランジの先端に係合する折返し状に形成されるか、又はその先端に下向き片を備える上フランジに沿うＬ字状に形成され、前記屋根断熱材と上フランジとの間に上フランジの先端側から差し込むように取り付けられるものであり、
前記押さえ部は、弾性に抗して上方へ押し曲げ可能であって、取付状態において隣り合う型鋼間に配置される機能性材を押さえることを特徴とする機能性材保持部材。
【請求項２】
リップを備える型鋼に対し、弾性的に係合する係合部を有することを特徴とする請求項１に記載の機能性材保持部材。
【請求項３】
取付状態において隣り合う型鋼間に配置される機能性材の一方の端部を請求項１又は２に記載の機能性材保持部材にて押さえ保持し、機能性材の他方の端部を、型鋼に沿う縦片部と、該縦片部から下方へ延在する押さえ片とを備える押さえ材にて押さえ保持することを特徴とする機能性材保持構造。
【請求項４】
型鋼を下方側から被覆することができる化粧材を取り付けていることを特徴とする請求項３に記載の機能性材保持構造。
【発明の詳細な説明】
【技術分野】
【０００１】
本発明は、屋根の骨組として用いられる鋼材（屋根母屋）に装着されて天井板や化粧板等の機能性材を容易に且つ確実に隣り合う型鋼間に保持し、機能性材の取付けも簡単に行なうことができる機能性材保持部材、及び機能性材保持構造に関する。
【背景技術】
【０００２】
各種の鉄骨造の建築構造として、勾配を付けて配置したＨ型鋼等の上に、Ｃ型鋼からなる複数の屋根母屋を軒棟方向に平行に固定し、これら屋根母屋の上部に屋根下地材を敷設して取付ける構造が知られている。
一方、特に大型の建築物においては、室内側に屋根母屋を構成する溝形鋼やＣ型鋼等の屋根下地が、露出することになるため、見栄えが悪くなる。このため、屋根裏の見栄えを向上する目的で、或いは断熱性を向上する目的で、様々な提案がなされている。
【０００３】
例えば特許文献１には、溝型鋼に固定される第１保持部材と、該第１保持部材に取り付ける化粧ホルダーとからなる建材保持部材が提案されている。なお、この特許文献１における化粧ホルダーは、必須の部材であるから、第２保持部材というべき部材である。
この提案における前記第１保持部材は、第１建材の上面に当接する第１挟持片を備える構成であり、前記化粧ホルダーは、前記第１建材の下面に当接して当該第１建材を前記第１挟持片に向かう厚さ方向に押圧する第２挟持片と、前記溝形鋼の開口部に挿入した前記第２建材の端部を厚さ方向から挟持する第３挟持片と、を備えている。
【先行技術文献】
【特許文献】
【０００４】
【特許文献１】特許第５５６１６５０号公報
【発明の開示】
【発明が解決しようとする課題】
【０００５】
しかしながら、前記特許文献１の構造では、「建材」の配設方法が「ウェブ２ａの外周に向けて第１建材１１ａの端部を配置するとともに、屋根母屋２Ａの開口部２ｄに第２建材１１ｂの端部を挿入し」としか記載されていないが、その図４等から建材１１ａの端部は、係止部１２ｃに干渉しない程度に短いサイズからなると想定される。しかし、干渉しないで斜めから下方からの差込、回転で配置された建材１１ａの右端は、どこにも支持されていないため、化粧ホルダー１３の取付前にあっては建材１１ａが脱落する恐れの高いものであった。
また、特にこの特許文献１に示される溝形鋼（Ｃ型鋼）は、配設ピッチに誤差が生じやすい部材であり、取付ピッチが狭いと係止部が干渉して建材が入らなかったり、逆に広いと隙間がより大きくなり、化粧カバー取付時まで作業者が抑えていなければならないという問題を有していた。しかも、そうした抑えながらの作業の場合、建材の配設、化粧ホルダーの取り付けを交互に行うことになり、極めて作業効率の悪いものとなっていた。
さらに、化粧ホルダーを建材より長尺とした場合には、その長さ分の建材を全て配設するまで化粧ホルダーの取付が行えないことになり、より作業性が悪くなるものであった。
【０００６】
そこで、本発明は、屋根の骨組として用いられる鋼材（屋根母屋）に装着されて天井板や化粧板等の機能性材を容易に且つ確実に隣り合う型鋼間に保持し、機能性材の取付けも簡単に行なうことができる機能性材保持部材、及び機能性材保持構造を提案することを目的とする。
【課題を解決するための手段】
【０００７】
本発明は、上記に鑑み提案されたものであって、屋根構造を構成する屋根断熱材の下面側に、所定間隔にて上フランジを備える複数の型鋼が取り付けられ、該型鋼に取り付けて機能性材を隣り合う型鋼間に保持することができる機能性材保持部材であって、型鋼の上フランジに取り付けられる取付部と、該取付部の下方に位置する押さえ部とを有してなり、前記取付部は、横片状の上フランジの先端に係合する折返し状に形成されるか、又はその先端に下向き片を備える上フランジに沿うＬ字状に形成され、前記屋根断熱材と上フランジとの間に上フランジの先端側から差し込むように取り付けられるものであり、前記押さえ部は、弾性に抗して上方へ押し曲げ可能であって、取付状態において隣り合う型鋼間に配置される機能性材を押さえることを特徴とする機能性材保持部材（以下、単に保持部材という）を提案するものである。
なお、本発明における機能性材は、天井板や化粧板等の建材板を含むものであって、グラスウール、発泡樹脂等からなるマット状又はボード状等の断熱材、吸音材、防火材、或いは各種素材を指すものである。
【０００８】
また、本発明は、前記保持部材において、押さえ部が弾性に抗して型鋼側へ押し曲げ可能であることを特徴とする保持部材をも提案する。
【０００９】
また、本発明は、前記保持部材において、リップを備える型鋼に対し、弾性的に係合する係合部を有することを特徴とする保持部材をも提案する。
【００１０】
さらに、本発明は、取付状態において隣り合う型鋼間に配置される機能性材の一方の端部を前記構成の保持部材にて押さえ保持し、機能性材の他方の端部を、型鋼に沿う縦片部と、該縦片部から下方へ延在する押さえ片とを備える押さえ材にて押さえ保持することを特徴とする機能性材保持構造（以下、単に保持構造という）を提案するものである。
【００１１】
また、本発明は、前記保持構造において、型鋼を下方側から被覆することができる化粧材を取り付けていることを特徴とする保持構造をも提案する。
【発明の効果】
【００１２】
本発明の保持部材は、屋根構造を構成する屋根断熱材の下面側に、所定間隔にて取り付けられた上フランジを備える複数の型鋼間に機能性材を保持することができる。また、その取付部を、例えば型鋼がＨ型鋼、Ｉ型鋼、溝型鋼、Ｚ型鋼、Ｌ型鋼等であれば、横片状の上フランジの先端に係合する折返し状に形成するか、或いはＣ型鋼（＝リップ溝型鋼）やリップＺ型鋼であれば、その先端に下向き片を備える上フランジに沿うＬ字状に形成するので、前記屋根断熱材と上フランジとの間に上フランジの先端側から差し込むように容易に取り付けられるものであって、隣り合う型鋼間に配置される天井材や化粧板等の機能性材の端部を押さえ部にて押さえることができ、室内側から機能性材を押し上げる（突き上げる）ような応力が作用した際に、該応力に抗する作用を果たし、機能性材の外れや落下等を防ぐことができ、機能性材を容易に且つ確実に保持することができる
また、保持部材は、機能性材のサイズの制限や施工手順の制限を受けることがなく、また、型鋼の取付に誤差があった場合であっても確実に押さえることができる。
【００１３】
また、押さえ部が弾性に抗して型鋼側へ押し曲げ可能である場合には、機能性材の端部を型鋼側に近接させた状態から隣り合う型鋼側へ位置調整することができる。
【００１４】
また、リップを備える型鋼に対し、弾性的に係合する係合部を有する場合には、この保持部材を型鋼に対して確実に取り付けることができ、機能性材を配設する操作においても保持部材が型鋼から外れることがなく、取付操作を行うことができる。
【００１５】
さらに、取付状態において隣り合う型鋼間に配置される機能性材の一方の端部を前記保持部材にて押さえ保持し、機能性材の他方の端部を、押さえ材の押さえ片で保持する本発明の保持構造は、機能性材の両端部を押さえ保持しているので、室内側から機能性材を押し上げるような応力に抗する作用はより確実に果たされ、機能性材の外れや落下等を防ぐ効果も大きくなる。
【００１６】
また、型鋼を被覆する化粧材を設けている場合には、前記特許文献１のように化粧材自体に機能性材を支持する機能（構成）を持たせていないので、この化粧材の配設前に機能性材が脱落することもないし、保持部材の取付を制限することもない。
【図面の簡単な説明】
【００１７】
【図１】（ａ）本発明の保持部材の一実施例（第１実施例）を用いた保持構造を構成する躯体構造、及び用いた部材の分解断面図、（ｂ）保持部材の拡大斜視図、（ｃ）型鋼に保持部材と押さえ材と化粧材（化粧カバー）を取り付けた後、機能性材を臨ませて保持部材の押さえ部を押し曲げた状態を示す断面図、（ｄ）取付後の状態を示す断面図である。
【図２】（ａ）第１実施例の保持構造に用いた保持部材を示す斜視図、（ｂ）その拡大斜視図、（ｃ）躯体構造を構成する型鋼（Ｃ型鋼）を示す斜視図、（ｄ）化粧材（化粧カバー）を示す斜視図、（ｅ）その正面図、（ｆ）その（左）側面図、（ｇ）押さえ材を示す斜視図、（ｈ）その正面図、（ｉ）その（左）側面図、（ｊ）型鋼に押さえ材を取り付けると共に機能性材を配設した状態を示す斜視図である。
【図３】（ａ）本発明の第２実施例の保持構造を構成する躯体構造に第１実施例の保持部材を取り付けた状態を示す断面図、（ｂ）機能性材と天井支持材を一体化させた状態を示す断面図、（ｃ）取り付け後の状態を示す正面図である。
【図４】（ａ）本発明の第３実施例の保持構造を示す断面図、（ｂ）用いた保持部材を拡大して示す正面図、（ｃ）本発明の第４実施例の保持構造を示す断面図、（ｄ）用いた保持部材を拡大して示す正面図である。
【図５】（ａ）本発明の第５実施例の保持構造を示す断面図、（ｂ）第６実施例の保持構造を示す断面図、（ｃ）第７実施例の保持構造を示す断面図、（ｄ）第８実施例の保持構造を示す断面図、（ｅ）予め機能性材と押さえ材とを仮固定した状態を示す断面図である。
【発明を実施するための形態】
【００１８】
本発明の保持部材は、屋根構造を構成する屋根断熱材の下面側に、所定間隔にて上フランジを備える複数の型鋼が取り付けられ、該型鋼に取り付けて機能性材を隣り合う型鋼間に保持することができる部材であって、型鋼の上フランジに取り付けられる取付部と、該取付部の下方に位置する押さえ部と、を有してなり、前記取付部は、横片状の上フランジの先端に係合する折返し状に形成されるか、又はその先端に下向き片を備える上フランジに沿うＬ字状に形成され、前記屋根断熱材と上フランジとの間に上フランジの先端側から差し込むように取り付けられるものであり、前記押さえ部は、弾性に抗して上方へ押し曲げ可能であって、取付状態において隣り合う型鋼間に配置される機能性材を押さえることを特徴とする。
なお、隣り合う型鋼間に機能性材を配置するための構造（構成）については特に限定するものではない。
【００１９】
特にリップを備える型鋼に対しては、弾性的に係合する係合部を有するようにしてもよく、この場合、保持部材を型鋼に対して確実に取り付けることができ、機能性材を配設する操作においても保持部材が型鋼から外れることがなく、取付操作を行うことができる。
【００２０】
なお、前記保持部材を用いた保持構造は、取付状態において隣り合う型鋼間に配置される機能性材を、前記保持部材の押さえ部にて押さえ保持した構造である。
【００２１】
また、本発明の前記保持部材を用いた保持構造は、更に機能性材の他方の端部を、型鋼に沿う縦片部と、該縦片部のから下方へ延在する押さえ片とを備える押さえ材にて押さえ保持することを特徴とするものである。
この保持構造では、型鋼を下方側から被覆することができる化粧材を取り付けていることが望ましい。
【００２２】
以下、本発明の保持部材、本発明に用いる押さえ材、化粧材、及びこれらの取付対象である型鋼、またその保持対象である機能性材についてそれぞれ説明する。
【００２３】
本発明の保持部材は、前述のように取付部と、押さえ部と、を有してなる構成であり、押さえ部にて機能性材の一方の端部を押さえるものである。この保持部材は、型鋼の長さ方向に連続する長尺状でもよいが、後述する図示実施例のようにピース状に形成した部材を適宜間隔にて複数取り付けるようにしてもよい。
【００２４】
前記取付部は、型鋼の上フランジに取り付けられるものであり、用いる型鋼の上フランジの仕様に応じて形状を選択すればよい。例えば型鋼がＨ型鋼、Ｉ型鋼、溝型鋼、Ｚ型鋼、Ｌ型鋼等であれば、上フランジは単なる横片状であるから、取付部としては前記横片状の先端に係合する折返し状に形成すればよく、Ｃ型鋼（＝リップ溝型鋼）、リップＺ型鋼のように上フランジの先端に下向き片（リップ）を有する場合には、この取付部としては前記下向き片に係合するコ字状に形成してもよく、更には下向き片に弾性的に係合する係合部を備えることが望ましい。
【００２５】
前記押さえ部は、前記取付部の下方に位置するものであり、弾性に抗して上方へ押し曲げ可能であって、取付状態において隣り合う型鋼間に配置される機能性材を押さえる。
なお、この押さえ部における「押さえる」とは、機能性材の一方の端部表面を押さえることを意味しているが、常に端部を上方から押圧（圧接）している態様に限定されるものではなく、常には端部を押圧してはいないが、何らかの負荷が掛かった際には端部を押さえる態様を含むである。
【００２６】
この押さえ部は、前述のように弾性に抗して上方へ押し曲げ可能であり、しかも取付状態において隣り合う型鋼間に配置される機能性材を押さえるものであれば、どのように形成してもよい。上方へ押し曲げる態様についても、内方側（型鋼側）へ押し曲げるものでも、外方側へ押し曲げるものでもよい。
取付時において、下方から臨ませる機能性材の表面に当接し、この押さえ部が弾性に抗して押し曲げられ、機能性材の配設と共に弾性回復して機能性材を押さえる。
なお、前述のように本発明における「押さえる」とは、取付安定性を考慮すると常に押圧（圧接）する態様が望ましいことは説明するまでもなく、即ちその場合、この押さえ部が機能性材の上面に常に接触（圧接）することが望ましい。
【００２７】
前記押さえ材は、より安定な機能性材の保持を目的として用いられるものであり、型鋼のウエブに沿う縦片部と、該縦片部から下方へ延在する押さえ片とを備える構成である。
この押さえ材としては、前記縦片部の上端に型鋼の上フランジに掛止する掛止部を備えることが望ましい。この掛止部は、前記保持部材の取付部と同様に型鋼の上フランジに取り付けるものであるが、後述する図示実施例のように上フランジを挟んで対向状に取り付けるものである。そして、前記縦片部に側方からビスを打ち込んでこの押さえ材を型鋼に固定する際の仮止めとして利用することができる。
【００２８】
前記縦片部は、型鋼のウエブに沿う略垂直状の縦片であって、後述する端縁支持材の中央縦片部に設けた係止部を取り付け可能な係止受部を設けていることが望ましい。なお、この係止受部としては、孔状に形成し、中央縦片部に設けた隆状係止部を係止できる構成としたが、特にその構成を限定するものではない。
【００２９】
前記押さえ片は、前記縦片部から下方へ延在して機能性材の表面に臨むものであって、機能性材の表面を押さえ保持するものである。この押さえ片の形状については特に限定するものではなく、機能性材の表面に当接してもよいし、当接していなくてもよい。即ち前記保持部材の押さえ部と同様に常に機能性材の端部表面を上方から圧接している態様に限定されず、何らかの負荷が掛かった際には端部を押さえる態様を含むものであるが、取付安定性を考慮した場合には、機能性材の端部を継続的に且つ弾性的に上方から押さえることが望ましいことは説明するまでもない。
【００３０】
前記化粧材は、型鋼を覆う「化粧カバー」と、型鋼と機能性材を覆う「天井仕上げ材」とがあり、何れも化粧面部を有するものであって、型鋼の長さ方向に連続する長尺状に形成される。化粧カバーを用いる場合には、機能性材としては天井板や化粧板等の建材板を用いることが多く、天井仕上げ材を用いる場合には、機能性材自体を隠すので、前記建材板を含めて各種の断熱材等を用いることができる。
なお、これらの化粧材には、型鋼と後述する端縁支持材との取付を補助（強化）する構成を具備させてもよい。
【００３１】
前記機能性材の取り付け対象である型鋼は、少なくとも上フランジを有するものであればよく、具体的には左右両方に上フランジを備えるＨ型鋼、Ｉ型鋼、左右の何れか一方のみに上フランジを備える溝型鋼、Ｚ型鋼、Ｌ型鋼、更に上フランジの先端に下向き片を有するＣ型鋼（＝リップ溝型鋼）、リップＺ型鋼等が相当する。
上記型鋼の中でも、隣り合う型鋼間に配置する機能性材を支持する部位を有するリップを有するＣ型鋼、リップＺ型鋼が望ましい。なお、これらの型鋼は、下フランジが同一方向に延在するように配設して母屋を形成するが、一部にはこの型鋼同士を背中合わせに接続して用いるようにしてもよい。
【００３２】
前記機能性材は、前述のように天井板や化粧板等の建材板を含むものであって、隣り合う型鋼間に架け渡されるように配設され、その端部を支持することで継続的に支持構造を維持できる強度（硬度）を有するものであれば、特にその材質についても限定するものではなく、例えばグラスウール、発泡樹脂等からなるマット状又はボード状等の断熱材、吸音材、防火材、或いは各種素材を用いることができ、単一材質からなるものでも、異材質の積層体であっても良く、さらには硬質でも軟質であっても良く、その厚みについても適宜設定すればよい。
また、この機能性材の端部についても、その表面から略垂直状に断裁したものに限らず、例えば端部を、下面側を切り欠いた段状に形成してもよい。
【００３３】
前述のように、隣り合う型鋼間に機能性材を配置するための構造（構成）については特に限定しないが、例えば後述する図示実施例（第２実施例）に示すように予め隣り合う型鋼間に係止可能な天井支持材と機能性材とを積層状に一体化させ、この積層状一体化材料を型鋼間に配設するようにしてもよいし、別の図示実施例（第１実施例）に示すように型鋼に取り付ける端縁支持材により、機能性材を型鋼間に配置させるようにしてもよい。
【００３４】
これらの天井支持材、端縁支持材については、それぞれ図示実施例にて詳述するので、ここでは簡単に説明すると、天井支持材は、取付状態において隣り合う型鋼にそれぞれ係止する係止部を備える構成であればよく、端縁支持材は、取付状態において機能性材の一方の端部を型鋼のリップに支持させると共に、他方の端部を支持する支持部を備える構成であればよい。
そして、これらの天井支持材、端縁支持材は、機能性材を隣り合う型鋼間に配置させることができ、実質的にこれらの天井支持材、端縁支持材支持材のみで支持構造を構築できる。
【実施例１】
【００３５】
図１（ｂ）に拡大して示す本発明の第１実施例の保持部材１は、型鋼４の上フランジ４１に取り付けられる取付部１１と、該取付部１１の下方に位置する押さえ部１２とを有してなる構成であり、前記押さえ部１２は、図１（ｃ）の左側に示すように弾性に抗して上方へ押し曲げ可能であって、且つ取付状態〔（図１（ｄ）に示す〕において隣り合う型鋼４，４間に配置される機能性材５を押さえるものである。
【００３６】
この第１実施例の保持部材１は、図２（ａ），（ｂ）にも図示するように極めて短幅のピース材であって、Ｃ型鋼である型鋼４の長さ方向に所定間隔にて複数取り付けられるものである。
この第１実施例における前記取付部１１は、図示するように型鋼４の上フランジ４１及びその先端に形成された上向き片（リップ）４１１を包むＬ字状に形成され、その下方には取付状態において型鋼４側へ向くように湾曲状の押さえ部１２が連続的に形成されている。
また、この第１実施例における押さえ部１２の上方部分には、略矩形状の切り起こしにより形成された係合部１３が設けられ、該係合部１３は型鋼４のリップ４１１に弾性的に係合する構成である。
【００３７】
次に、図１（ａ）に示される保持部材１以外の部材である型鋼４、機能性材５、押さえ材２、化粧材３については、図２にも示している。
まず図２（ｃ）に示す型鋼４は、縦方向に配されるウエブ４２の両端（上下端）にフランジ４１，４３を有するＣ型鋼であって、先端に下向き片４１１を備える上フランジ４１は図面右方へ延在している。
【００３８】
また、図２（ｊ）に示す機能性材５は、左右の端部を、下面側を切り欠いた段状に形成したものである。
なお、同図には、機能性材５の一方の端部５１ｘを、型鋼４の下フランジ４３（上向き片４３１）に支持した状態を示しているが、図示しない他方の端部５１ｙは、後述する押さえ材２の支持部２２に支持されている。
【００３９】
また、図２（ｇ）〜（ｉ）に示す押さえ材２は、前記型鋼４のウエブ４２に沿う縦片部２１と、該縦片部２１から下方へ延在する湾曲片状の押さえ片２１２とを備える構成であり、この第１実施例の押さえ材２には、前記縦片部２１の下端から型鋼４の下フランジ４３と背中合わせ状に延在するＬ字状の支持部２２が設けられている。この支持部２２は、前記機能性材５の端縁を支持するので、この押さえ材２は前記機能性材５を支持する端縁支持材を兼ねる。この支持部２２の上端は、前記型鋼４の下フランジ４３の先端に形成された上向き片４３１の上端をほぼ同じ高さになるように形成されている。
また、前記縦片部２１の上端には、型鋼４の上フランジ４１に掛合する掛合片２３が設けられ、その高さの中程には、複数の矩形状の切り込み空部２１１を形成し、該切り込みによる切り起こしにて外側へ突出する押さえ片２１２が複数箇所に形成されている。
【００４０】
また、図２（ｄ）〜（ｆ）に示す化粧材３は、型鋼４の下フランジ４３を下方側から被覆する化粧カバーであって、底面である化粧面３１の左右が立ち上がる断面略樋状の長尺材である。先端（上端）が折り曲げられた一方の側面部（右側面部）３２は、型鋼４の下フランジ４３の外側に沿って上向き片４３１に係合する。他方の側面部（左側面部）３３は、型鋼４のウエブ４２に沿い、その外側には前記押さえ材２に取り付けるための隆起部３３１が複数設けられている。なお、この隆起部３３１が前記押さえ材２の切り込み空部２１１に係合することは、図２（ｊ）に示す通りである。
【００４１】
図１（ｃ）は、前記各部材１〜３を用いて前記型鋼４，４間に機能性材５を保持する構造の施工手順の一例を示すものであって、屋根構造を構成する屋根断熱材６の下面に所定間隔にてＣ型鋼である型鋼４が取り付けられており、該型鋼４には、図面右側から前記保持部材１を、図面左側から前記押さえ材２が取り付けられ、更に図面下方から化粧材３がそれぞれ型鋼４に取り付けられる。
【００４２】
この状態で、機能性材５を下方から傾斜状に臨ませ、その一方の端部５１ｘが保持部材１の押さえ部１２を型鋼４側へ押し上げるように配設する。なお、この状態では、端部５１ｘは化粧材３の右側面部３２（型鋼４の上向き片４３１）に係合させていない。
続いて、押さえ部１２を十分に押し曲げた状態で、この機能性材５が略水平状となるように他方の端部５１ｙを回動させ、図面右側に位置する型鋼４側へスライド状に位置調整し、端部５１ｙを押さえ材２の支持部２２に支持させると共に端部５１ｘを化粧材３の右側面部３２（型鋼４の上向き片４３１）に係合させる。
前記位置調整により、押さえ部１２の押圧が解除され、押さえ部１２が弾性回復してその先端（下端）は機能性材５の表面を押さえるものとなる。
【００４３】
このように本発明の第１実施例の保持構造は、機能性材５の配設以前に前記構成の保持部材１や押さえ材２、及び化粧材３の取付を終わっており、何れの部材の取付も容易であって、その後の機能性材５の取付作業も、極めて容易に行うことができる。
また、この保持構造にて保持される機能性材５は、端部５１ｘ，５１ｙを型鋼４の下フランジ４３（リップ４３１），押さえ材２の支持部２２にてそれぞれ支持され、表面側から押さえ部１２にて押さえ保持しているので、室内側から機能性材５を押し上げるような応力が作用した際に、該応力に抗する作用を果たし、機能性材５の外れや落下等を防ぐことができる。
さらに、この第１実施例の保持構造では、保持部材１の押さえ部１２に加え、押さえ材２の押さえ片２１２も機能性材５の表面を押さえ保持しているので、前述の保持効果はより確実に果たされるものとなる。
【００４４】
図３に示す本発明の第２実施例の保持構造は、前記第１実施例における保持部材１を用いている点では共通しているが、隣り合う型鋼４，４間に機能性材５Ｂを配置するための構造（構成）が相違する。
この第２実施例では、図３（ｂ）に示すように予め隣り合う型鋼４，４間に係止可能な天井支持材７と機能性材５Ｂとを積層状に一体化させたものを用いている。
【００４５】
前記機能性材５Ｂは、一方の端部５１ｘについては前記図１，２における機能性材５と同様であるが、他方の端部５１ｂｙは段状ではなく、その表面から略垂直状に断裁した形状に形成されている。
また、前記天井支持材７は、略平坦状の支持面部７１と、その一方の端縁を略逆Ｖ字状に形成した掛状係止部７２と、他方の端縁を立ち上げた起立面部７３と、その上端を外方へ延在させた横片状係止部７４とを備える構成であり、天井仕上げ材（化粧材）を兼ねるものである。前記支持面部７１は、左右の端縁が立ち上がる樋状の底面に相当するので、前記機能性材５Ｂをこの支持面部７１上に受支する状態で一体化されている。
【００４６】
そして、この第２実施例の保持構造では、予め前述の天井支持材７に機能性材５Ｂを一体化されておけば、前記第１実施例における機能性材５の取付とほぼ同様に取付を行うことができる。
但し、一体化材（７，５Ｂ）を下方から傾斜状に臨ませ、その一方の端部５１ｘが保持部材１の押さえ部１２を型鋼４側へ押し曲げるように配設する際に、前記掛状係止部７２を型鋼４の下フランジ４３の上向き片４３１に係合する。
また、押さえ部１２を十分に押し曲げた状態で、この一体化材（７，５Ｂ）が略水平状となるように他方の端部５１ｂｙを回動させる点では共通するが、その際に、横片状係止部７４を型鋼４の上フランジ４１に係止状に取り付ける。
その後、押さえ部１２の押圧が解除され、押さえ部１２が弾性回復してその先端（下端）が機能性材５Ｂの表面を押さえる点では全く共通である。
【００４７】
この第２実施例の保持構造でも、機能性材５Ｂの取付作業は、極めて容易に行うことができ、保持される機能性材５Ｂも、表面側から押さえ部１２にて押さえ保持されているので、室内側から機能性材５Ｂを押し上げるような応力が作用した際に、該応力に抗する作用を果たし、機能性材５Ｂの外れや落下等を防ぐことができる。
なお、この第２実施例で用いる天井支持材７は、天井仕上げ材を兼ねることを説明したが、機能性材５Ｂを受支できるものであれば、例えばパンチングメタルや金網等の材料にて成形されるものでもよい。
【００４８】
図４（ａ），（ｂ）に示す第３実施例、及び図４（ｃ），（ｄ）に示す第４実施例では、保持部材１Ｃ，１Ｄとして、取付状態において型鋼４とは逆方向へ向くように湾曲状の押さえ部１２ｃ，１２ｄが設けられているが、それ以外の保持部材１Ｃ，１Ｄの構成、及びそれ以外の機能性材５、押さえ材２、化粧材３の構成については、前記第１実施例と全く同様であるから、図面に同一符号を付して説明を省略する。
【００４９】
これらの実施例でも、前記第１実施例とほぼ同様に施工することができるが、機能性材５の配設時における押さえ部１２ｃ，１２ｄの挙動が若干相違する。
即ちこれらの実施例でも、前記第１実施例と同様に機能性材５を下方から傾斜状に臨ませるが、その一方の端部５１ｘは押さえ部１２ｃ，１２ｄを避けるように配設する。
続いて、この機能性材５が略水平状となるように他方の端部５１ｙを回動させるが、その際に、押さえ部１２ｃ，１２ｄがこの機能性材５の表面により、型鋼４とは逆方向へ押し上げられる状態となる。
その後、端部５１ｙを押さえ材２の支持部２２に支持させると共に端部５１ｘを化粧材３の右側面部３２（型鋼４の上向き片４３１）に係合させる点、押さえ部１２ｃ，１２ｄの押圧が解除され、押さえ部１２ｃ，１２ｄが弾性回復してその先端（下端）が機能性材５の表面を押さえる点では前記第１実施例と全く共通である。
【００５０】
したがって、これらの第３，第４実施例の保持構造でも、機能性材５の取付作業は、極めて容易に行うことができ、保持される機能性材５も、表面側から押さえ部１２ｃ，１２ｄにて押さえ保持されているので、室内側から機能性材５を押し上げるような応力が作用した際に、該応力に抗する作用を果たし、機能性材５の外れや落下等を防ぐ。
【００５１】
図５（ａ）〜（ｄ）に示す第５〜第８実施例の保持構造は、前記第１実施例と同様に保持部材１Ｅ〜１Ｈの押さえ部１２ｅ〜１２ｈが型枠４側へ押し上げられる構成であるが、型鋼４のリップ４１１に弾性的に係合する係合部１３ｅ〜１３ｈが前記第１実施例のように切り起こしにより形成されるものではなく、型鋼４の上フランジ４１及び上向き片（リップ）４１１を包むＬ字状の取付部１１と押さえ部１２ｅ〜１２ｈとの間に折り返し状に形成されている。
【００５２】
また、これらの第５〜第８実施例の保持構造では、その両端部５１ｃｘ，５１ｃｙが、表面から略垂直状に断裁した形状に形成された機能性材５Ｃを用いている。
さらに、押さえ部２Ｂは、湾曲片状ではなく平坦片状に形成された押さえ片２１２ｂを備える構成であり、化粧材３は用いられていない。
【００５３】
これらの実施例でも、前記第１実施例とほぼ同様に施工することができる。
即ちこれらの実施例でも、前記第１実施例と同様に機能性材５Ｃを下方から傾斜状に臨ませるが、その一方の端部５１ｃｘは押さえ部１２ｅ〜１２ｈを押し上げるように配設する。
続いて、この機能性材５Ｃが略水平状となるように他方の端部５１ｃｙを回動させ、図面右側に位置する型鋼４側へスライド状に位置調整し、端部５１ｃｙを押さえ材２Ｂの支持部２２に支持させると共に端部５１ｃｘを型鋼４の上向き片４３１に係合させる。
前記位置調整により、押さえ部１２ｅ〜１２ｈの押圧が解除され、押さえ部１２ｅ〜１２ｈが弾性回復してその先端（下端）は機能性材５Ｃの表面を押さえるものとなる。
【００５４】
これらの第５〜第８実施例の保持構造でも、機能性材５Ｃの取付作業は、極めて容易に行うことができ、保持される機能性材５Ｃも、表面側から押さえ部１２ｅ〜１２ｈにて押さえ保持されているので、室内側から機能性材５Ｃ押し上げるような応力が作用した際に、該応力に抗する作用を果たし、機能性材５Ｃの外れや落下等を防ぐことができる。
特にこれらの保持部材１Ｅ〜１Ｈの押さえ部１２ｅ〜１２ｈは、それぞれ略円弧状に形成されているので、これらの押さえ部１２ｅ〜１２ｈの弾性反発力はより継続的に発揮されるものであり、端部５１ｃｘを継続的に押さえ保持することができる。
【００５５】
なお、前記機能性材５，５Ｂを用いる前記第１〜第４実施例では、例えば図３（ａ）の左側に配した型鋼４の内部に、点線で示すような短尺の機能性材５Ｄを用いるようにしてもよい。この機能性材５Ｄとしては、同素材を用いてもよいし、注入発泡によるものであってもよい。
この場合には、機能性材５，５Ｂ、５Ｄが連続するため、断熱効果の弱点を生ずることがない。
また、前記機能性材５Ｃを用いる前記第５〜第８実施例では、例えば図５（ｅ）に示すように予め押さえ材２Ｂの縦片部２１に機能性材５Ｃ'の端面を図示しない両面テープ等を用いて一体化（仮固定）しておき、これを用いるようにしてもよい。
この場合には、前記機能性材５Ｃよりもわずかに長く、型鋼４，４間の間隔とほぼ等しい機能性材５Ｃ'を用いることができ、断熱効果の弱点を生ずることがない。
【符号の説明】
【００５６】
１，１Ｃ，１Ｄ，１Ｅ，１Ｆ，１Ｇ，１Ｈ  保持部材
１１  取付部
１２  押さえ部
１３  係合部
２  押さえ材（端縁支持材）
２ｂ  固定ビス
２１  縦片部
２１２  押さえ片
２２  支持部
３  化粧材（化粧カバー）
３１  化粧面
４  型鋼
４１  上フランジ
４１１  下向き片（リップ）
４２  ウエブ
４３  下フランジ
４３１  上向き片（リップ）
５，５Ｂ，５Ｃ  機能性材
５１ｘ（一方側の）端部
５１ｙ，５１ｙ  （他方側の）端部
６  屋根断熱材
７  天井支持材（天井仕上げ材）
【図１】
0006714338.tif 000002
【図２】
0006714338.tif 000003
【図３】
0006714338.tif 000004
【図４】
0006714338.tif 000005
【図５】
0006714338.tif 000006